(57)【特許請求の範囲】
【請求項１】
遊技機本体と、同遊技機本体の左右いずれか一側に配設された開閉軸部によって片持ちに支持された扉パネルとを備え、同扉パネルによって同遊技機本体の前面を閉鎖するようにした遊技機において、
前記扉パネルの裏面に設けられた導入部と前記遊技機本体の前面に設けられた案内部とを有し、前記導入部から前記遊技機本体側へ向けて導出された遊技球が前記案内部を介して遊技球の発射位置へ誘導されるように構成された連絡部と、
前記扉パネルの開放端側を貫通するように設けられた開口と前記遊技機本体の前面に設けられ鍵穴を有する回動胴部とを有し、前記遊技機本体に対して前記扉パネルが閉鎖された状態において前記回動胴部が前記開口から露出されるように構成された施錠操作部と、
前記遊技機本体の前面のうち前記案内部と前記回動胴部との間に配設され、前方へ突出する第１の突起体と、
前記扉パネルの裏面のうち前記導入部と前記開口との間に配設され、後方へ突出する第２の突起体とを備え、
前記遊技機本体に対して前記扉パネルが開放された状態から同扉パネルを閉鎖方向へ回動させる場合に、前記連絡部と前記施錠操作部との間にて前記第１の突起体に対し前記第２の突起体が乗り上げ、前記扉パネルの開放端側を上方に変位させるとともに、前記第１及び第２の突起体の少なくとも一方の先端は、前記扉パネルの前記遊技機本体に対する前後方向における正しい閉鎖位置において前記扉パネル背面又は前記遊技機本体前面に当接するように構成されていることを特徴とする遊技機。
【発明の詳細な説明】
【技術分野】
【０００１】
本発明は、遊技機本体の前面を扉パネルで閉鎖するようにした遊技機に関するものであ
る。
【背景技術】
【０００２】
パチンコ遊技機に代表される遊技機は一般的に機構部が収容された遊技機本体とこの遊
技機本体の前面を覆う扉パネルとしての扉枠を有している。扉枠は遊技機本体の左側部に
配設されたヒンジ部によって片持ちに支持されており、ヒンジ部を基部として手前側（前
方）に向かって開放するようになっている。
パチンコ遊技機では扉枠に大きな窓孔が形成されており、この窓孔はガラス板で塞がれ
ている。パチンコ遊技機はこの窓孔を通して遊技機本体側の遊技面を露出させるようにな
っており、例えばパチンコ球が盤面の遊技釘に引っかかった場合のように遊技面に何らか
の不具合が生じた際にパチンコホールの店員は扉枠前面のヒンジ部とは逆方向の右側部寄
りに形成されている鍵穴に鍵を差し込んでロックを解除し、扉枠を手前側に開放するよう
にしている。また、遊技面の下部位置に配置された発射機構等の点検をする際にも同様に
扉枠を手前側に開放して点検を行うようにしている。このような機構を有する遊技機は数
多く見られるがその一例として特許文献１を示す。
【特許文献１】特開２００４−３２９５６５号公報
【発明の概要】
【発明が解決しようとする課題】
【０００３】
本発明は、このような従来の技術に存在する問題点に着目してなされたものである。その目的とするところは、遊技機本体に対してその前面に配置される片持ちで開閉される扉パネルを開閉軸部とともに確実に支持することができる遊技機を提供するものである。
【課題を解決するための手段】
【０００４】
上記の目的を達成するために請求項１の発明では、遊技機本体と、同遊技機本体の左右いずれか一側に配設された開閉軸部によって片持ちに支持された扉パネルとを備え、同扉パネルによって同遊技機本体の前面を閉鎖するようにした遊技機において、前記扉パネルの裏面に設けられた導入部と前記遊技機本体の前面に設けられた案内部とを有し、前記導入部から前記遊技機本体側へ向けて導出された遊技球が前記案内部を介して遊技球の発射位置へ誘導されるように構成された連絡部と、前記扉パネルの開放端側を貫通するように設けられた開口と前記遊技機本体の前面に設けられ鍵穴を有する回動胴部とを有し、前記遊技機本体に対して前記扉パネルが閉鎖された状態において前記回動胴部が前記開口から露出されるように構成された施錠操作部と、前記遊技機本体の前面のうち前記案内部と前記回動胴部との間に配設され、前方へ突出する第１の突起体と、前記扉パネルの裏面のうち前記導入部と前記開口との間に配設され、後方へ突出する第２の突起体とを備え、前記遊技機本体に対して前記扉パネルが開放された状態から同扉パネルを閉鎖方向へ回動させる場合に、前記連絡部と前記施錠操作部との間にて前記第１の突起体に対し前記第２の突起体が乗り上げ、前記扉パネルの開放端側を上方に変位させるとともに、前記第１及び第２の突起体の少なくとも一方の先端は、前記扉パネルの前記遊技機本体に対する前後方向における正しい閉鎖位置において前記扉パネル背面又は前記遊技機本体前面に当接するように構成されていることをその要旨とする。
【発明の効果】
【００１０】
上記請求項に記載された発明では、扉パネルの閉鎖状態において開閉軸部とともにこれら突起体によって確実に扉パネルを閉鎖状態で支持することが可能となる。
【図面の簡単な説明】
【００１１】
【図１】本発明を応用した実施の形態のパチンコ遊技機の正面図。
【図２】同じパチンコ遊技機の扉枠を取り外した状態の正面図。
【図３】同じパチンコ遊技機の扉枠の背面図。
【図４】同じパチンコ遊技機の分解斜視図。
【図５】同じパチンコ遊技機の扉枠の側面図。
【図６】同じパチンコ遊技機の第１の支持突起周辺の本体枠下部付近の斜視図。
【図７】同じパチンコ遊技機の第２の支持突起周辺の扉枠下部付近の斜視図。
【図８】（ａ）は第１の支持突起の分解斜視図、（ｂ）は第２の支持突起の分解斜視図。
【図９】扉枠を閉鎖方向に回動した際の第１及び第２の支持突起の側面からの位置関係を説明する縦断面の説明図であって（ａ）は第２の支持突起が第１の支持突起に接近した状態、（ｂ）は第２の支持突起が第１の支持突起にわずかに乗った状態、（ｃ）は第２の支持突起が第１の支持突起に完全に載置された状態。
【図１０】図９を上方から目視した状態の説明図であって（ａ）は第２の支持突起が第１の支持突起に接近した状態、（ｂ）は第２の支持突起が第１の支持突起にわずかに乗った状態、（ｃ）は第２の支持突起が第１の支持突起に完全に載置された状態。
【図１１】（ａ）及び（ｂ）は従来のパチンコ遊技機の扉の支持構造の説明図。
【発明を実施するための形態】
【００１２】
以下、本発明の各実施の形態について図面に基づいて説明する。
図１〜図４に示すように、パチンコ遊技機１１は支持枠体としての外枠１２を備えてい
る。外枠１２は、遊技ホールへの設置の際にいわゆる島設備に取り付けられる。外枠１２
は上下左右の各枠板１２ａ〜１２ｄによって四角形に枠組みされた木製の枠体とされてい
る。下部枠板１２ｄ上面には幕板１３が配設されている。
外枠１２内には遊技機本体としての本体枠１４が装着されている。本体枠１４はパチン
コ遊技機１１の構造的な中核を形成するパネル状の構成部材であって、外枠１２内におい
て幕板１３上に配置されている。図４及び図５に示すように、本体枠１４は正面視におい
て略長方形の外郭を備えたＡＢＳ製のパネルとされている。本体枠１４の正面から見て左
方寄りにおいて上下に配設された開閉金具１５の開閉軸線Ｐ（図４参照）を軸心として回
動して外枠１２に対して前方側に開放可能とされている。
【００１３】
図２及び図６に示すように、本体枠１４の前面板１４ａの下部領域には本体枠側機構部
１６が形成されている。本体枠側機構部１６を正面から見て右方にはパチンコ球発射ユニ
ット１７が配設されている。パチンコ球発射ユニット１７はソレノイド等から構成された
発射部１８と、発射部１８にパチンコ球を順に送出する球送りユニット１９及び補助レー
ル２０から構成されている。本体枠側機構部１６の正面から見て左方にはパチンコ球流下
ユニット２１が配設されている。本体枠側機構部１６の裏面側にはすべての遊技球を回収
して一旦機外に放出させるための遊技球回収通路２６が形成されている（図４参照）。
本体枠１４の正面から見て右方寄りには上下方向に３箇所のスリット２２が形成されて
いる。また、本体枠１４内部の最下部のスリット２２の近傍には鍵装置が配設されており
同鍵装置から前方に鍵穴の形成された回動胴部２３が突設されている。
前面板１４ａの四方の縁部には同前面板１４ａよりも前方に張り出した当接面１４ｂが
形成されている。当接面１４ｂには後述する扉枠４１の背面板４１ａが当接することで扉
枠４１の前後方向の位置決めがされることとなる。
【００１４】
本体枠側機構部１６の上方には遊技盤取り付けスペース２５が形成され、遊技盤２７が
同スペース２５内に配設されている。同スペース２５は遊技盤２７が載置される棚部２８
（図４参照）と、略楕円形状に切り欠き形成された窓孔２９を有している。窓孔２９の周
囲は棚部２８に載置された遊技盤２７の前面周縁が当接する前板部３０とされている。図
４に示すように、木製の遊技盤２７の外郭は略正方形形状とされ、棚部２８に載置された
状態で図示しない係止手段によって前板部３０に対して圧着固定される。図２に示すよう
に、遊技盤２７は同スペース２５に配設された状態で前面に形成された遊技面２７ａが窓
孔２９から前方に露出される。
遊技盤２７の遊技面２７ａ上には、外レール３１と内レール３２が装着されている。遊
技盤２７が本体枠１４の遊技盤取り付けスペース２５に配設された状態で両レール３１，
３２及び前記本体枠１４側の窓孔２９を包囲する壁面３３の一部によって遊技面２７ａに
遊技領域が画定されている。尚、遊技領域に配設された遊技釘や入賞口等の詳しい構成に
ついては説明を省略する。
【００１５】
図４に示すように、本体枠１４（遊技盤２７）の背面には各種制御装置が重複状に配置
されている。制御装置は大きく３つにユニット化されており、タンク３５や遊技球を供給
するための遊技球供給装置３６、保護カバー３７等を備えた第１ユニット３８、主制御装
置や音声ランプ制御装置を備えた第２ユニット３９、払出制御装置、発射制御装置及び電
源装置を備えた第３ユニット４０から構成されている。
【００１６】
本体枠１４の前面には扉体としての扉枠４１が配設されている。図１及び図５に示すよ
うに、扉枠４１は本体枠１４の正面から見た外郭と略一致した長方形形状の外郭の正面形
状を有している。扉枠４１は本体枠１４に対して開閉可能に取り付けられている。扉枠４
１は本体枠１４と同様前記開閉金具１５の開閉軸線Ｐと同軸に取り付けられた開閉軸部と
しての上下に配設された開閉金具４４を軸心として前方側に開放可能とされている。その
ため、本体枠１４は外枠１２に対して開閉可能とされるとともに、扉枠４１は外枠１２と
本体枠１４のそれぞれに対して独立して開閉可能とされている。扉枠４１はＡＢＳ樹脂製
のパネル体であって、内部に縦横に配設された図示しない合金製の補強リブによって補強
されている。
【００１７】
扉枠４１には遊技者が遊技面２７ａを目視するための目視用窓孔４２が形成されている
。図３に示すように、目視用窓孔４２位置にはガラス板フレーム３４に支持されたガラス
板４３が扉枠４１背面側に配設されている。
扉枠４１の前面側であって、目視用窓孔４２の左右及び上方には前方に膨出した装飾用
パネル４５が配設されている。装飾用パネル４５内には図示しないスピーカ装置や図示し
ない装飾ランプが配設されている。目視用窓孔４２の下方位置には、前側へ膨出した第１
の膨出部４６が設けられ、その第１の膨出部４６内側が上受け皿４７とされている。上受
け皿４７は図示しない払出装置より払い出された遊技球を一旦貯留し、一列に整列させな
がらパチンコ球発射ユニット１７方向に導くための球貯留部とされる。
【００１８】
第１の膨出部４６の下方位置には、前側へ膨出した第２の膨出部４８が設けられ、その
第２の膨出部４８内側が下受け皿４９とされている。下受け皿４９はパチンコ球流下ユニ
ット２１を経由してして流下するパチンコ球を貯留したり、遊技者の能動的な操作に基づ
いて上受け皿４７から流下させたパチンコ球を貯留するための補助的な球貯留部である。
正面から見て下受け皿４９の左方には灰皿５０が配設されている。下受け皿４９の右方に
はパチンコ球発射ユニット１７と連動する遊技球打ち出し用ハンドル５１が前方に突出形
成されている。
【００１９】
図３及び図７に示すように、扉枠４１の背面板４１ａは複数のリブと段違いに配設され
た板面とが組み合わされて一体的に成形された構成部材である。
背面板４１ａの表面（背面側）に配設された主要な構成要素としては前記ガラス板フレ
ーム３４（ガラス板４３）に加えて前記パチンコ球流下ユニット２１に接続され上受け皿
４７にパチンコ球を導くためのブリッジ部材５３、上受け皿４７の下流に配置されたパチ
ンコ球導入口５４、下受け皿４９に連通する連通孔５５、ハンドル５１用の基板５６、前
記スリット２２に挿入されるラッチ５７、前記回動胴部２３前面の鍵穴を扉枠４１前面に
露出させる透孔５８、扉枠４１と本体枠１４との隙間を埋めるケース状ブロック５９、ガ
ラス板フレーム３４を固定するクリップ６０等が挙げられる。
【００２０】
図２及び図６に示すように、このような構成の本体枠１４の前面板１４ａには第１の突
起体としての第１の支持突起６１が突設されている。また、図３及び図７に示すように、
扉枠４１の背面板４１ａには第２の突起体としての第２の支持突起６３が突設されている
。
図８（ａ）に示すように、第１の支持突起６１は本体枠１４の前面板１４ａと一体的に
形成された本体６５を備えている。本体６５は直方体形状の前方上面を斜めに切り欠きし
たブロック状をなし、前面板１４ａの表面に対して平行に配置された前方壁面６５ａ、前
面板１４ａの表面に対して垂直に配置された天井壁面６５ｂ、及び前方壁壁６５ａと天井
壁面６５ｂとの間に配置された傾斜壁面６５ｃを有する。前方壁面６５ａには位置決め用
の突起６６とボルト孔６７が形成されている。本体６５には各壁面６５ａ〜６５ｃを覆う
合金製の補強プレート６８がボルト６９によって固着されている。補強プレート６８は湾
曲形成された板体であって、下垂部６８ａと、水平部６８ｂと下垂部６８ａ及び水平部６
８ｂをなだらかに連結する湾曲部６８ｃから構成されている。水平部６８ｂと下垂部６８
ａは直交している。下垂部６８ａには位置決め用の切り欠き７０と取り付け孔７１が形成
されており、補強プレート６８は切り欠き７０を本体６５側の前記突起６６に係合させた
状態で取り付け孔７１を介してボルト６９がボルト孔６７に螺合されることで本体６５に
対して固定される。
【００２１】
図８（ｂ）に示すように、第２の支持突起６３は扉枠４１の背面板４１ａと一体的に形
成された本体７３を備えている。本体７３は第１の支持突起６１の本体６５を上下逆転さ
せた同一形状のブロック体とされており、本体６５と同様３つの壁面７３ａ〜７３ｃを備
えている。前方壁面７３ａは背面板４１ａの表面に対して平行に配置され、天井壁面７３
ｂは背面板４１ａの表面に対して垂直に配置されている。前方壁面７３ａには位置決め用
の突起７４とボルト孔７５が形成されている。本体７３には上記第１の支持突起６１の本
体６５と同様に補強プレート６８が固着されている。
第１の支持突起６１は本体枠１４の前面壁面においてほぼ球送りユニット１９と回動胴
部２３との間に配置されている。ここに図１０（ａ）〜（ｃ）に示すように、第１の支持
突起６１の突設されている前面板１４ａ表面をベース位置Ｂ１とする。第２の支持突起６
３は扉枠４１の背面壁面においてほぼ透孔５８とパチンコ球導入口５４との間に配置され
ている。ここに図９（ａ）〜（ｃ）に示すように、第２の支持突起６３の突設されている
背面板４１ａ表面をベース位置Ｂ２とする。第１の支持突起６１の先端からベース位置Ｂ
１までの距離と第２の支持突起６３の先端からベース位置Ｂ２までの距離は同じ長さとさ
れている。
【００２２】
図９（ａ）〜（ｃ）に示すように、第２の支持突起６３は側方視において第１の支持突
起６１に対して支持突起１つ分上方にずれた位置に配置されており、設計上では垂直方向
において第１の支持突起６１の上面、つまり補強プレート６８の水平部６７ｂの上面位置
と第２の支持突起６３の下面、つまり補強プレート６８の水平部６７ｂの下面位置とは水
平位置において一致する。但し、実際には開閉金具４４によって左側方において片持ちに
支持された扉枠４１は右側方側が自重で若干下がるため第１の支持突起６１と第２の支持
突起６３とは互いにわずかに干渉する位置に配置されることとなる。
また、図９（ｂ）及び（ｃ）に示すように、扉枠４１を本体枠１４に閉鎖した状態で第
２の支持突起６３は第１の支持突起６１の上方に重複状に配置されることとなる。
【００２３】
このような構成において第１及び第２の支持突起６１，６３の作用について説明する。
扉枠４１は本体枠１４に対して開放状態とされた状態から開閉金具４４を基部として閉
鎖方向に回動させて閉鎖させていくものとする。
図９（ａ）及び図１０（ａ）に示すように、第２の支持突起６３は扉枠４１の閉鎖に伴
って第１の支持突起６１に徐々に接近していく。図９（ａ）に示すように、両突起６１，
６３は側方視において上下にずれているため、正面から衝突してしまうことはない。しか
し、第２の支持突起６３の下面は第１の支持突起６１の上面に対して上記のようにわずか
に干渉する位置に配置されているため図９（ｂ）に示すように、扉枠４１の閉鎖に伴って
第２の支持突起６３は互いの湾曲部６７ｃが案内面となって第２の支持突起６３が徐々に
第１の支持突起６１上に押し上げられていくこととなる。つまり、扉枠４１の全体が自重
でわずかに右下がりになっている状態から設計上の正しい位置まで持ち上げられていくこ
ととなる。そして、図９（ｃ）及び図１０（ｃ）に示すように、第１の支持突起６１が完
全に第２の支持突起６３の上に載置されると、扉枠４１は右下がり状態が補正されて正確
に本体枠１４の前面に配置されることとなる。
【００２４】
この時、本体枠１４側の回動胴部２３は扉枠４１側の透孔５８に挿入されて、図１に示
すようにその前面の鍵穴が扉枠４１前面に露出される。また、扉枠４１側のラッチ５７は
スリット２２に挿入されて図示しない掛止部と掛止することでし扉枠４１の開放方向への
回動が阻止される。また、扉枠４１の背面板４１ａは本体枠１４の前面板１４ａの周囲の
当接面１４ｂに当接する。このように扉枠４１が閉鎖された状態でちょうど図９（ｃ）及
び図１０（ｃ）に示すように第１及び第２の支持突起６１，６３はそれぞれ対向する側の
前面板１４ａ及び背面板４１ａに当接する。
【００２５】
上記のように構成することによって本実施の形態では次のような効果を奏する。
（１）第１及び第２の支持突起６１，６３をそれぞれ本体枠１４の前面板１４ａ及び扉枠
４１の背面板４１ａの所望の位置に配設することによって開閉金具４４とともに扉枠４１
をしっかりと支持することが可能となる。第１及び第２の支持突起６１，６３はそれぞれ
本体枠１４及び扉枠４１の所望の位置に配設できるため目視用窓孔４２を大きくした場合
やその他の構成部材の配置によって扉枠４１の背面板４１ａのスペースが制限されるよう
な状況になっても対応しやすい。
（２）扉枠４１は自重で若干右下がりに歪んでしまうため第２の支持突起６３の下面は第
１の支持突起６１の上面に対してわずかに干渉する位置に配置されてしまう。しかし、第
１及び第２の支持突起６１，６３は互いの湾曲部６７ｃが案内面となって扉枠４１の閉鎖
に伴って第２の支持突起６３を第１の支持突起６１上に押し上げられるようになっている
ためこのように扉枠４１が歪んでいても作業者が扉枠４１を持ち上げる等の補助動作をす
る必要はなく確実に扉枠４１を支持することが可能となる。
（３）第１の支持突起６１の上面側及び第２の支持突起６３の下面はそれぞれ単なる水平
な平面で構成されており、第２の支持突起６３が第１の支持突起６１の上に載置される際
に邪魔となるような突起物は形成されていない。そのため、扉枠４１を閉鎖方向に回動さ
せるだけで速やかに第２の支持突起６３は第１の支持突起６１の上に導かれ、作業者が扉
枠４１を持ち上げる等の補助動作をする必要はない。また、扉枠４１は本体枠１４に対し
て開閉金具４４を基部として回動しながら接近するため、実際には第２の支持突起６３は
平面視において斜め方向から第１の支持突起６１上に載置されるようになっている。この
ように互いの載置面と被載置面に突起物がないため、どの方向から第２の支持突起６３が
第１の支持突起６１に接近しても載置の支障になることはない。
（４）扉枠４１が閉鎖された状態でちょうど第１及び第２の支持突起６１，６３はそれぞ
れ対向する側の前面板１４ａ及び背面板４１ａに当接するため、扉枠４１を押動しても扉
枠４１が応力で撓んで隙間ができてしまうという不具合が生じにくい。
（５）第１及び第２の支持突起６１，６３は補強プレート６８によって補強されているた
め丈夫である。特に上記のように案内面として湾曲部６７ｃ同士が擦れ合うような構造で
あるため、このように摩耗に強い補強プレート６８を設けることは好適である。
【００２６】
本発明は以下のような態様に変更して実施することが可能である。
・上記実施の形態では第１及び第２の支持突起６１，６３は補強プレート６８を設ける
ことによって案内面として湾曲部６７ｃを形成するようにしていたが、補強プレート６８
を装着しない場合にはこのような案内面を直接本体６５，６３に形成するようにしても構
わない。
・上記では扉枠４１を閉鎖した状態で第１及び第２の支持突起６１，６３はそれぞれ対
向する側の前面板１４ａ及び背面板４１ａに当接するようになっていたが、必ずしも当接
しなくとも構わない。
・上記実施の形態では本体枠１４と遊技盤２７が別体であったが、これらが一体の機種
に応用するようにしてもよい。
・上記実施の形態においてはいわゆる第１種始動口付きパチンコ遊技機に応用したが、
パチンコ遊技機の種類は特に問わない。また、このように片持ちで扉パネルを支持する遊
技機であればスロットマシン等のパチンコ遊技機以外の遊技機に応用することも可能であ
る。
その他、本発明の趣旨を逸脱しない態様で実施することは自由である。
【符号の説明】
【００２７】
１１…パチンコ遊技機、１４…遊技機本体としての本体枠、４１…扉パネルとしての扉
枠、４４…開閉軸部を構成する開閉金具、６１…第１の突起体としての第１の支持突起、
６３…第２の突起体としての第２の支持突起。
【図１】
0005590474.tif 000002
【図２】
0005590474.tif 000003
【図３】
0005590474.tif 000004
【図４】
0005590474.tif 000005
【図５】
0005590474.tif 000006
【図６】
0005590474.tif 000007
【図７】
0005590474.tif 000008
【図８】
0005590474.tif 000009
【図９】
0005590474.tif 000010
【図１０】
0005590474.tif 000011
【図１１】
0005590474.tif 000012